(57)【要約】  電気的接続点を有する携帯電話用汎用コンソールにおいて、コンソールの接続部は携帯電話の接続部に適合するよう構成されている。【選択図】  図２
2009518943.tif 000002
【特許請求の範囲】
【請求項１】
電気的接続部（３０）を有する携帯電話を中心に狭持するよう配置されたホルダ（１０）を備えた携帯電話用汎用コンソールであって、
前記携帯電話の製品固有コードを読み取る手段（４０）と、
電気接点の形状や回路図等の使用可能な携帯電話の機種に関するデータを保持する中央演算部（５０）と、
可変接続部を有し、携帯電話の電気接点（３０）に対応する突出した接続ピン（６１）が接点ボックス（６０）の内側もしくは外側に移動可能に配向されたグリッドを備えた接続ボックス（６０）と、
前記接点ボックス（６０）を前記携帯電話の前記接点（３０）に対して移動せしめるよう配置された可動部と、
を備えることを特徴とする汎用コンソール。
【請求項２】
前記接続ピン（６１）は、電磁スプールによって軸方向に移動され、前記コンタクトボックス（６０）の内側もしくは外側に移動されることを特徴とする請求項１に記載の汎用コンソール。
【請求項３】
前記接続ピン（６１）は、一つまたは複数の少なくとも略平行な列を成し平らに横置きされた状態から反転もしくは回転されることによって、前記コンタクトボックス（６０）の内側もしくは外側に移動されることを特徴とする請求項１に記載の汎用コンソール。
【請求項４】
前記中央演算部（５０）は少なくとも１つのマイクロホンおよびスピーカからの音声データ並びに前記マイクロホンおよび前記スピーカへの音声データを演算することを特徴とする請求項１に記載の汎用コンソール。
【請求項５】
前記接点ボックスは特定機種の携帯電話専用の接点ボックスとは別体であることを特徴とする請求項１に記載の汎用コンソール。
【請求項６】
操作キー、表示装置、内部スピーカおよびマイクロホン、もしくはその他の適切な操作手段をさらに備えることを特徴とする請求項１に記載の汎用コンソール。
【請求項７】
携帯電話はＩＤチップを付されており、機種を識別するためのＩＤチップリーダをさらに備えることを特徴とする請求項１に記載の汎用コンソール。
【発明の詳細な説明】
【技術分野】
【０００１】
本発明は、電気的接続部を有する携帯電話をその中心で固定するよう配置されたホルダを備えた携帯電話用汎用コンソールに関する。
【背景技術】
【０００２】
運転中の電話での通話は注意力を散漫にし、多数の交通事故を引き起こす要因となっている。突発的な緊急事態、もしくは交通の流れにわずかな変化が生じた時にさえ、適切な対応が遅れがちである。
【０００３】
運転中に携帯電話を安全に使用するためのハンズフリーシステムがある。そのようなシステムとして、収容器に携帯電話を設置するものがあり、主装置、マイクロホン、スピーカまたは車載ステレオ機器との結線、並びに、各部間の結線を有するものがある。
【０００４】
特許文献１、特許文献２および特許文献３には、接続部、電話機をセンタリングして保持する装置、充電装置等を備えた従来の携帯電話用ホルダが開示されている。しかし、いずれの先行文献においても、本発明のような異なる種類の携帯電話を識別可能なコンソールを備えた構成とはなっていない。
【０００５】
【特許文献１】特開２００１−７７８９９号公報
【特許文献２】米国特許出願公開第２００４/００８７３３５号明細書
【特許文献３】米国特許出願公開第２００４/０１３２３４３号明細書
【発明の開示】
【発明が解決しようとする課題】
【０００６】
従来のシステムの問題点は、ホルダおよび主装置のほとんどが１機種、少なくとも１ブランドの携帯電話にしか対応していないことにある。ユーザは平均１年に１度携帯電話を買い換えるが、その際、車載システムも交換しなくてはならないために費用がかかる。そこで、車載ハンズフリーシステムにかかる費用を抑え、携帯電話の機種やブランドの変更を可能にするシステムが必要とされている。
【課題を解決するための手段】
【０００７】
本発明は、このような課題に鑑みてなされたものであり、次のような特徴的な構成を有している。つまり、本発明の汎用コンソールは、携帯電話の製品固有コードを読み取る手段と、電気的接続部の形状や回路図等の、使用可能な携帯電話の機種に関するデータを保持する中央演算部と、可変接続部を有し、電気的接続部に対応して突出した携帯電話の接続ピンが接点ボックスの我々の外側において移動可能に配向されたグリッドを備えた接続ボックスと、接点ボックスを携帯電話の接続部に対して移動せしめるよう配置された可動部と、を備えることを特徴とする。
【発明を実施するための最良の形態】
【０００８】
以下に添付図面を参照して、本発明の好適な実施形態を説明する。
【０００９】
本発明の好適な実施形態のコンソール１０は、様々な機能の選択を簡易にするため、表示装置１１、オペレータ制御キー１２、メニュー選択キー１３を備えることができる。機種、消音、音量、コントラスト、電源オン、オフの決定等の異なる機能の選択が容易となるようになっている。挟持端部１４はコンソール上で携帯電話を中心に位置決めして挟持する。
【００１０】
携帯電話がコンソール１０に設置された時、接点ボックス２０は、携帯電話の接点３０の直下に位置していない受動的位置（passive position）に方向付けされる（図３a）。携帯電話の下面はセンサ４０によって読み取られる（図３ｂ）。携帯電話の下面には識別用マークが付されており、これにより携帯電話の機種が識別できる。識別用マークとしては、バーコード、文字列、番号、接点の３次元形状、もしくは適当な特徴等が使用できる。読み取られた情報は演算部５０に送信される。演算部５０は携帯電話の機種および特徴を記憶したデータベースを備えており、当該機種をデータベースより検索する。センサ４０は携帯電話に関する情報を演算部５０に出力する。本実施形態では、システムが正しく携帯電話の機種を識別したかどうかをユーザが確認できるよう、携帯電話のブランドおよび／または機種が表示装置１１に表示される。これにより、識別用マークの磨耗、汚れ、損傷により起こり得る誤識別を防ぐことができる。前記演算部は接点の３次元形状に関するデータも保持しており、このデータを接点ボックス６０に送信する。該接点ボックスは、問い合わせの機種に属する接点３０の形状を確認できるように構成されている。この構成は、例えば、小型または超小型の電磁スプールによって接続ピン６１が上下に移動可能に配置されたグリッドを、接点ボックス６０内に備えることにより実現できる（図３ｃ）。接続ピンは四角形の格子状に配置されていても良いし（図３ｆ）、その他の形態でも良い。接点３０のパターンに適合するパターンを持つ接点ボックス６０の外側へ接続ピン６１が移動すると、接点ボックス６０は、例えば電気モータもしくはその他の適当な手段によって、接点３０の下側へ移動する（図３ｄ）。接点ボックス６０を正確に位置決めするために、センサ４０により取得された位置形成が用いられる。演算部５０は、携帯電話において接点３０の接続形態に関する情報も保持しており、それにより接続ピン６１は携帯電話の仕様を確認の上接続可能となる。
【００１１】
機種によっては、接点３０が携帯電話の下面において、ほぼ平坦ですらなく、電話機下方側の穴の内部に位置していることがある。この場合、接続ピン６１を接点３０に接続できない。そのため、接点ボックス６０を取替え可能とし、ユーザが接点ボックスを特定の機種専用のものに交換できるようにしても良い。または、コンソール１０内に差し込まれ、携帯電話の接点３０と接点ボックス６０の間に配置されるアダプタを備えても良い。
【００１２】
本発明の別の実施形態によれば、本出願においては示されていないが、接続ピンは接点ボックス上に、多数の接続ピンからなる一つまたは複数の平行な列を成して平らに横置きされて接点ボックスに取り付けられても良く、その場合、接続ピンは携帯電話の接点３０に適合するよう互いに独立して上方に反転/回転可能としても良い。
【００１３】
例えば、使用可能な携帯電話のブランドおよび機種に関する最新情報と共に、データを自動車のＣＤプレーヤにインストールする等、このシステムは自動車の機能のその他のシステムと組み合わせて使用しても良い。また、携帯電話からの情報は、離れて位置した、またはコンソールに接続された大画面上に表示されても良い。将来的には、携帯電話に識別チップが組み込まれることが想定される。この場合、識別チップもまた、例えば、コンソールに内蔵されたチップリーダにより読み取られ、携帯電話の識別に使用されることになる。
【図面の簡単な説明】
【００１４】
【図１】図１は、携帯電話を搭載していない状態の汎用コンソールを示す図である。
【図２】図２は、携帯電話を搭載した状態の汎用コンソールを示す図である。
【図３ａ】図３aは、携帯電話を搭載、接続する工程を示す図である。
【図３ｂ】図３bは、携帯電話を搭載、接続する工程を示す図である。
【図３ｃ】図３cは、携帯電話を搭載、接続する工程を示す図である。
【図３ｄ】図３dは、携帯電話を搭載、接続する工程を示す図である。
【図３ｅ】図３eは、携帯電話を搭載、接続する工程を示す図である。
【図３ｆ】図３fは、携帯電話を搭載、接続する工程を示す図である。
【図１】
2009518943.tif 000003
【図２】
2009518943.tif 000004
【図３ａ】
2009518943.tif 000005
【図３ｂ】
2009518943.tif 000006
【図３ｃ】
2009518943.tif 000007
【図３ｄ】
2009518943.tif 000008
【図３ｅ】
2009518943.tif 000009
【図３ｆ】
2009518943.tif 000010
【国際調査報告】
2009518943.tif 000011
2009518943.tif 000012
2009518943.tif 000013
2009518943.tif 000014